(57)【要約】      （修正有）【課題】修理及び組立て作業が容易で、部品コストを削減し、前送り歯と後送り歯の差動比を増加し、特殊布を縫合可能で、さらには、組立工数を削減でき、操作の利便性を向上する小型横円筒式ミシン用布送り制御機構を提供する。【解決手段】小型横円筒式ミシンの内部には、ケースに回転可能に配されるスピンドルによって駆動される布送り制御機構が設けられる。カム回転方式によって前記スピンドルに差動カム押引ロッドが回転可能に配され、差動カム押引ロッドには前差動揺動ロッドが回転可能に配されている。前記前差動揺動ロッドは、差動スピンドルに固定され、前記差動スピンドルは前記ケースに回転可能に配されている。【選択図】図２
0003158845.tif 000002
【実用新案登録請求の範囲】
【請求項１】
小型横円筒式ミシン（１）の内部に、ケース（１１）に回動可能に配されるスピンドル（２０）によって駆動される布送り制御機構（２）が設けられる小型横円筒式ミシン用布送り制御機構において、
駆動される前記布送り制御機構（２）は、カム回転方式によって前記スピンドル（２０）に差動カム押引ロッド（２３）が回動可能に配され、前記差動カム押引ロッド（２３）に前差動揺動ロッド（２５）の一端が回動可能に配され、前記前差動揺動ロッド（２５）が差動スピンドル（２４）に固定され、前記差動スピンドル（２４）が前記ケース（１１）に回動可能に配された構成を有し、
前記前差動揺動ロッド（２５）の他端は前差動押引ロッド（４１）の一端と回動可能に配され、前記前差動押引ロッド（４１）の他端のコの字形状のアーム部の中空部分には、揺動アーム（４２）と前記揺動アーム（４２）に設けられた２つの円孔の内の１孔に挿入された摺動アーム（４３）とが回動可能に配され、前記摺動アーム（４３）の他端の円孔に前差動揺動レバー（４４）の一端が回動可能に配され、前記前差動揺動レバー（４４）の他端には、前記ケース（１１）に回動可能に配される前差動シャフト（４５）が固定され、前記前差動シャフト（４５）の他端には、前歯揺動具（４６）の一端が固定され、前記前歯揺動具（４６）の他端には、前歯前後押えブロック（４７）が回動可能に配され、前記前歯前後押えブロック（４７）は、前送り歯（６０）に設けられた前歯前後摺動溝（６３）に摺動可能に挿入され、前記揺動アーム（４２）に設けられた２孔の内の他の１孔には、前差動引きロッド（８１）の一端が回動可能に配され、前記前差動引きロッド（８１）には、前記ケース（１１）に回動可能に配される前差動指示ロッド（８２）が固定され、前記前差動引きロッド（８１）の突起部は、常時に下方向に位置し、前差動調整ロッド（８０）に係止され、
カム回転方式によって前記スピンドル（２０）にカム押引ロッド（２１）が回動可能に配され、前記カム押引ロッド（２１）に揺動レバー（３１）の一端が回動可能に配され、前記揺動レバー（３１）の他端には、前記ケース（１１）に回動可能に配される第１シャフト（３２）が固定され、前記第１シャフト（３２）に第１揺動具（３３）の一端が固定され、前記第１揺動具（３３）の背面には第１上下押えブロック（３４）が回動可能に配され、前記第１上下押えブロック（３４）は、前記前送り歯（６０）にコの字形状に設けられた前歯第１上下摺動溝（６１）と、後送り歯（７０）に設けられた後歯第１上下摺動溝（７１）と、が形成するコの字形状の空間に摺動可能に挿入され、
前記スピンドル（２０）の末端であって、前記スピンドル２０の中心軸からずれて偏った位置に偏心軸（２２）が設けられ、前記偏心軸（２２）に偏心押引ロッド（３５）の一端が回動可能に配され、前記偏心押引ロッド（３５）の他端に揺動ブロック（３６）の一端が固定され、前記揺動ブロック（３６）の他端には、前記ケース（１１）に回動可能に配される第２シャフト（３７）が固定され、前記第２シャフト（３７）の先端部に第２揺動具（３８）の一端が固定され、前記第２揺動具（３８）には第２上下押えブロック（３９）が回動可能に配され、前記第２上下押えブロック（３９）は、前送り歯（６０）に設けられた前歯第２上下摺動溝（６２）と、後送り歯（７０）に設けられた後歯第２上下摺動溝（７２）と、に摺動可能に設けられることを特徴とする小型横円筒式ミシン用布送り制御機構。
【請求項２】
小型横円筒式ミシン（１）の内部に、ケース（１１）に回動可能に配されるスピンドル（２０）によって駆動される布送り制御機構（２）が設けられる小型横円筒式ミシン用布送り制御機構において、
駆動される前記布送り制御機構（２）は、カム回転方式によって前記スピンドル（２０）に差動カム押引ロッド（２３）が回動可能に配され、前記差動カム押引ロッド（２３）に前差動揺動ロッド（２５）の一端が回動可能に配され、前記前差動揺動ロッド（２５）が差動スピンドル（２４）に固定され、前記差動スピンドル（２４）が前記ケース（１１）に回動可能に配された構成を有し、
前記差動スピンドル（２４）には、円弧形状の突起部を有する後差動揺動ロッド（２６）の一端が固定され、前記後差動揺動ロッド（２６）の突起部は、プッシャ（５１）に設けられた貫通孔（５１０）を挿通し、前記プッシャ（５１）の他端は、前記貫通孔（５１０）から伸ばされて円孔を有し、後差動揺動レバー（５２）の一端と回動可能に配され、前記後差動揺動レバー（５２）の他端には、前記ケース（１１）に回動可能に配される後差動シャフト（５３）が固定され、前記後差動シャフト（５３）の他端には、後歯揺動具（５４）が固定され、前記後歯揺動具（５４）の側面上端部には、後歯前後押えブロック（５５）が回動可能に配され、前記後歯前後押えブロック（５５）は、後送り歯（７０）に設けられた後歯前後摺動溝（７３）に摺動可能に挿入され、前記貫通孔（５１０）に摺動揺動ロッド（９２）の一端が回動可能に配され、前記摺動揺動ロッド（９２）の他端に連動揺動ロッド（９１）の一端が回動可能に配され、前記連動揺動ロッド（９１）の他端には、前記ケース（１１）に回動可能に配される後差動調整指示ロッド（９０）が固定され、前記後差動調整指示ロッド（９０）の指示部は、前記ケース（１１）に固定される構成を有し、
カム回転方式によって前記スピンドル（２０）にカム押引ロッド（２１）が回動可能に配され、前記カム押引ロッド（２１）に揺動レバー（３１）の一端が回動可能に配され、前記揺動レバー（３１）の他端には、前記ケース（１１）に回動可能に配される第１シャフト（３２）が固定され、前記第１シャフト（３２）に第１揺動具（３３）の一端が固定され、前記第１揺動具（３３）の背面には第１上下押えブロック（３４）が回動可能に配され、前記第１上下押えブロック（３４）は、前記前送り歯（６０）にコの字形状に設けられた前歯第１上下摺動溝（６１）と、前記後送り歯（７０）に設けられた後歯第１上下摺動溝（７１）と、が形成するコの字形状の空間に摺動可能に挿入され、
前記スピンドル（２０）の末端であって、前記スピンドル２０の中心軸からずれて偏った位置に偏心軸（２２）が設けられ、前記偏心軸（２２）に偏心押引ロッド（３５）の一端が回動可能に配され、前記偏心押引ロッド（３５）の他端に揺動ブロック（３６）の一端が固定され、前記揺動ブロック（３６）の他端には、前記ケース（１１）に回動可能に配される第２シャフト（３７）が固定され、前記第２シャフト（３７）の先端部に第２揺動具（３８）の一端が固定され、前記第２揺動具（３８）には第２上下押えブロック（３９）が回動可能に配され、前記第２上下押えブロック（３９）は、前記前送り歯（６０）に設けられた前歯第２上下摺動溝（６２）と、前記後送り歯（７０）に設けられた後歯第２上下摺動溝（７２）と、に摺動可能に設けられることを特徴とする小型横円筒式ミシン用布送り制御機構。
【請求項３】
小型横円筒式ミシン（１）の内部に、ケース（１１）に回動可能に配されるスピンドル（２０）によって駆動される布送り制御機構（２）が設けられる小型横円筒式ミシン用布送り制御機構において、
駆動される前記布送り制御機構（２）は、カム回転方式によって前記スピンドル（２０）に差動カム押引ロッド（２３）が回動可能に配され、前記差動カム押引ロッド（２３）に前差動揺動ロッド（２５）の一端が回動可能に配され、前記前差動揺動ロッド（２５）が差動スピンドル（２４）に固定され、前記差動スピンドル（２４）が前記ケース（１１）に回動可能に配された構成を有し、
前記前差動揺動ロッド（２５）の他端は前差動押引ロッド（４１）の一端と回動可能に配され、前記前差動押引ロッド（４１）の他端のコの字形状のアーム部の中空部分には、揺動アーム（４２）と前記揺動アーム（４２）に設けられた２つの円孔の内の１孔に挿入された摺動アーム（４３）とが回動可能に配され、前記摺動アーム（４３）の他端の円孔に前差動揺動レバー（４４）の一端が回動可能に配され、前記前差動揺動レバー（４４）の他端には、前記ケース（１１）に回動可能に配される前差動シャフト（４５）が固定され、前記前差動シャフト（４５）の他端には、前歯揺動具（４６）の一端が固定され、前記前歯揺動具（４６）の他端には、前歯前後押えブロック（４７）が回動可能に配され、前記前歯前後押えブロック（４７）は、前送り歯（６０）に設けられた前歯前後摺動溝（６３）に摺動可能に挿入され、前記揺動アーム（４２）に設けられた２孔の内の他の１孔には、前差動引きロッド（８１）の一端が回動可能に配され、前記前差動引きロッド（８１）には、前記ケース（１１）に回動可能に配される前差動指示ロッド（８２）が固定され、前記前差動引きロッド（８１）の突起部は、常時に下方向に位置し、前差動調整ロッド（８０）に係止され、
前記差動スピンドル（２４）には、円弧形状の突起部を有する後差動揺動ロッド（２６）の一端が固定され、前記後差動揺動ロッド（２６）の突起部は、プッシャ（５１）に設けられた貫通孔（５１０）を挿通し、前記プッシャ（５１）の他端は、前記貫通孔（５１０）から伸ばされて円孔を有し、後差動揺動レバー（５２）の一端と回動可能に配され、前記後差動揺動レバー（５２）の他端には、前記ケース（１１）に回動可能に配される後差動シャフト（５３）が固定され、前記後差動シャフト（５３）の他端には、後歯揺動具（５４）が固定され、前記後歯揺動具（５４）の側面上端部には、後歯前後押えブロック（５５）が回動可能に配され、前記後歯前後押えブロック（５５）は、後送り歯（７０）に設けられた後歯前後摺動溝（７３）に摺動可能に挿入され、前記貫通孔（５１０）に摺動揺動ロッド（９２）の一端が回動可能に配され、前記摺動揺動ロッド（９２）の他端に連動揺動ロッド（９１）の一端が回動可能に配され、前記連動揺動ロッド（９１）の他端には、前記ケース（１１）に回動可能に配される後差動調整指示ロッド（９０）が固定され、前記後差動調整指示ロッド（９０）の指示部は、前記ケース（１１）に固定される構成を有し、
カム回転方式によって前記スピンドル（２０）にカム押引ロッド（２１）が回動可能に配され、前記カム押引ロッド（２１）に揺動レバー（３１）の一端が回動可能に配され、前記揺動レバー（３１）の他端には、前記ケース（１１）に回動可能に配される第１シャフト（３２）が固定され、前記第１シャフト（３２）に第１揺動具（３３）の一端が固定され、前記第１揺動具（３３）の背面には第１上下押えブロック（３４）が回動可能に配され、前記第１上下押えブロック（３４）は、前記前送り歯（６０）にコの字形状に設けられた前歯第１上下摺動溝（６１）と、前記後送り歯（７０）に設けられた後歯第１上下摺動溝（７１）と、が形成するコの字形状の空間に摺動可能に挿入され、
前記スピンドル（２０）の末端であって、前記スピンドル２０の中心軸からずれて偏った位置に偏心軸（２２）が設けられ、前記偏心軸（２２）に偏心押引ロッド（３５）の一端が回動可能に配され、前記偏心押引ロッド（３５）の他端に揺動ブロック（３６）の一端が固定され、前記揺動ブロック（３６）の他端には、前記ケース（１１）に回動可能に配される第２シャフト（３７）が固定され、前記第２シャフト（３７）の先端部に第２揺動具（３８）の一端が固定され、前記第２揺動具（３８）には第２上下押えブロック（３９）が回動可能に配され、前記第２上下押えブロック（３９）は、前記前送り歯（６０）に設けられた前歯第２上下摺動溝（６２）と、前記後送り歯（７０）に設けられた後歯第２上下摺動溝（７２）と、に摺動可能に設けられることを特徴とする小型横円筒式ミシン用布送り制御機構。
【考案の詳細な説明】
【技術分野】
【０００１】
本考案は、ミシンの布送り制御機構に関し、特に、小型横円筒式ミシンの前送り歯と後送り歯とのストローク及び差動比を調整することができる小型横円筒式ミシン用布送り制御機構に関するものである。
【背景技術】
【０００２】
近年、紡績技術および材料技術の発展により、特性が従来の布と相違する布が多く開発された。また、生活水準の向上により、ファッションがより重要視されるようになったため、ファッションデザイナーによる衣服のデザインが複雑となり、これにより、より高度な裁縫方法が必要になる。
【０００３】
ミシンの前送り歯と後送り歯の機能は、布を縫い位置に送って縫合することにあり、前送り歯と後送り歯が移動するストロークの大きさは布の送り速度に関係する。すなわち、ミシンの針の上下動の速度が一定である場合には、布の送り速度が速いほど、糸の布を貫通する針の間隔がより長く、逆に、布の送り速度が遅いほど、糸の布を貫通する針の間隔が短い。そうすると、布の送り速度を調整することにより、糸の布を貫通する針の間隔を調整することができる。また、前送り歯と後送り歯が移動するストロークを相違するようにし（すなわち、差動比を調整し）、前送り歯による布の送り速度を、後送り歯の送り速度よりも速くし又は遅くし、又は同様にすることにより、相違する皺形態を縫合面に形成することができる。そうすると、高い弾性を有する布を縫合することができ、より複雑にデザインされた衣服を縫合することもできる。従来のミシン用布送り制御機構として、特許文献１が提案されている。特許文献１のミシン用布送り制御機構は、制御軸を有し、制御軸は、一端に制御スパナが設けられ、他端に引き具が設けられている。更に、連動軸と、揺動軸とを有する。前記連動軸の一端に連接具が設けられ、前記連接具には、前記引き具と連接する駆動具が設けられ、前記連動軸の他端に作動具が設けられている。また、前記作動具には揺動レバーの一端が回動可能に配され、前記揺動レバーの他端には前送り歯連接具が回動可能に配される。前記揺動軸には、摺動溝と、支持押引ロッドと、が構成され、摺動溝内に後送り歯連接具が摺動可能に設けられている。前記支持押引ロッドが、前記前送り歯連接具内を挿通し、前記前送り歯連接具と支持押引ロッドは摺動可能に設けられている。前記制御スパナを引くことにより、前記前送り歯連接具が前記支持押引ロッドを摺動し、前記揺動軸が揺動すると、前記前送り歯連接具と前記後送り歯連接具の移動のストロークは相違する。
【先行技術文献】
【特許文献】
【０００４】
【特許文献１】台湾特許第Ｍ３０７６３３号
【考案の概要】
【考案が解決しようとする課題】
【０００５】
しかしながら、これは次のような欠点があった。
（１）従来の差動を調整する技術によれば、差動比の調整は、ミシンの後方に設けられる制御スパナによって調整を行うが、制御スパナは制御軸と連動軸を介して作動具を調整して差動比を変更するため、組立作業が困難であり、故障が発生し易い。そして制御軸と連動軸の連結距離が長いため、修理が困難である。
【０００６】
（２）従来の差動を調整する技術によれば、差動比の調整は、ミシンの後方に設けられる制御スパナによって調整を行うが、ユーザはミシンを操作する位置から制御スパナを直視することができず、且つ制御スパナを引いた後、制御スパナを定位置に戻すことができないため、差動比の調整が困難であり、操作が極めて不便である。
【課題を解決するための手段】
【０００７】
本考案の主な目的は、修理作業および組立作業が容易になり、部品のコストを有効に減少でき、前送り歯と後送り歯の差動比を増加でき、弾性素材などの特殊布を縫合でき、さらに、組立工数を減少でき、操作が便利になる小型横円筒式ミシン用布送り制御機構を提供することにある。
【０００８】
本考案における小型横円筒式ミシン用布送り制御機構は、小型横円筒式ミシン（１）の内部に、ケース（１１）に回動可能に配されるスピンドル（２０）によって駆動される布送り制御機構（２）が設けられる小型横円筒式ミシン用布送り制御機構において、駆動される前記布送り制御機構（２）は、カム回転方式によって前記スピンドル（２０）に差動カム押引ロッド（２３）が回動可能に配され、前記差動カム押引ロッド（２３）に前差動揺動ロッド（２５）の一端が回動可能に配され、前記前差動揺動ロッド（２５）が差動スピンドル（２４）に固定され、前記差動スピンドル（２４）が前記ケース（１１）に回動可能に配された構成を有し、前記前差動揺動ロッド（２５）の他端は前差動押引ロッド（４１）の一端と回動可能に配され、前記前差動押引ロッド（４１）の他端のコ字状のアーム部の中空部分には、揺動アーム（４２）と前記揺動アーム（４２）に設けられた２つの円孔の内の１孔に挿入された摺動アーム（４３）とが回動可能に配され、前記摺動アーム（４３）の他端の円孔に前差動揺動レバー（４４）の一端が回動可能に配され、前記前差動揺動レバー（４４）の他端には、前記ケース（１１）に回動可能に配される前差動シャフト（４５）が固定され、前記前差動シャフト（４５）の他端には、前歯揺動具（４６）の一端が固定され、前記前歯揺動具（４６）の他端には、前歯前後押えブロック（４７）が回動可能に配され、前記前歯前後押えブロック（４７）は、前送り歯（６０）に設けられた前歯前後摺動溝（６３）に摺動可能に挿入され、前記揺動アーム（４２）に設けられた２孔の内の他の１孔には、前差動引きロッド（８１）の一端が回動可能に配され、前記前差動引きロッド（８１）には、前記ケース（１１）に回動可能に配される前差動指示ロッド（８２）が固定され、前記前差動引きロッド（８１）の突起部は、常時に下方向に位置し、前差動調整ロッド（８０）に係止され、カム回転方式によって前記スピンドル（２０）にカム押引ロッド（２１）が回動可能に配され、前記カム押引ロッド（２１）に揺動レバー（３１）の一端が回動可能に配され、前記揺動レバー（３１）の他端には、前記ケース（１１）に回動可能に配される第１シャフト（３２）が固定され、前記第１シャフト（３２）に第１揺動具（３３）の一端が固定され、前記第１揺動具（３３）の背面には第１上下押えブロック（３４）が回動可能に配され、前記第１上下押えブロック（３４）は、前記前送り歯（６０）にコの字形状に設けられた前歯第１上下摺動溝（６１）と、後送り歯（７０）に設けられた後歯第１上下摺動溝（７１）と、が形成するコの字形状の空間に摺動可能に挿入され、前記スピンドル（２０）の末端であって、前記スピンドル２０の中心軸からずれて偏った位置に偏心軸（２２）が設けられ、前記偏心軸（２２）に偏心押引ロッド（３５）の一端が回動可能に配され、前記偏心押引ロッド（３５）の他端に揺動ブロック（３６）の一端が固定され、前記揺動ブロック（３６）の他端には、前記ケース（１１）に回動可能に配される第２シャフト（３７）が固定され、前記第２シャフト（３７）の先端部に第２揺動具（３８）の一端が固定され、前記第２揺動具（３８）には第２上下押えブロック（３９）が回動可能に配され、前記第２上下押えブロック（３９）は、前送り歯（６０）に設けられた前歯第２上下摺動溝（６２）と、後送り歯（７０）に設けられた後歯第２上下摺動溝（７２）と、に摺動可能に設けられることを特徴とする。
【０００９】
本考案における小型横円筒式ミシン用布送り制御機構は、小型横円筒式ミシン（１）の内部に、ケース（１１）に回動可能に配されるスピンドル（２０）によって駆動される布送り制御機構（２）が設けられる小型横円筒式ミシン用布送り制御機構において、駆動される前記布送り制御機構（２）は、カム回転方式によって前記スピンドル（２０）に差動カム押引ロッド（２３）が回動可能に配され、前記差動カム押引ロッド（２３）に前差動揺動ロッド（２５）の一端が回動可能に配され、前記前差動揺動ロッド（２５）が差動スピンドル（２４）に固定され、前記差動スピンドル（２４）が前記ケース（１１）に回動可能に配された構成を有し、前記差動スピンドル（２４）には、円弧形状の突起部を有する後差動揺動ロッド（２６）の一端が固定され、前記後差動揺動ロッド（２６）の突起部は、プッシャ（５１）に設けられた貫通孔（５１０）を挿通し、プッシャ（５１）の他端は、前記貫通孔（５１０）から伸ばされて円孔を有し、後差動揺動レバー（５２）の一端と回動可能に配され、前記後差動揺動レバー（５２）の他端には、前記ケース（１１）にと回動可能に配される後差動シャフト（５３）が固定され、前記後差動シャフト（５３）の他端には、後歯揺動具（５４）が固定され、前記後歯揺動具（５４）の側面上端部には、後歯前後押えブロック（５５）が回動可能に配され、前記後歯前後押えブロック（５５）は、後送り歯（７０）に設けられた後歯前後摺動溝（７３）に摺動可能に挿入され、前記貫通孔（５１０）に摺動揺動ロッド（９２）の一端が回動可能に配され、前記摺動揺動ロッド（９２）の他端に連動揺動ロッド（９１）の一端が回動可能に配され、前記連動揺動ロッド（９１）の他端には、前記ケース（１１）に回動可能に配される後差動調整指示ロッド（９０）が固定され、前記後差動調整指示ロッド（９０）の指示部は、前記ケース（１１）に固定される構成を有し、カム回転方式によって前記スピンドル（２０）にカム押引ロッド（２１）が回動可能に配され、前記カム押引ロッド（２１）に揺動レバー（３１）の一端が回動可能に配され、前記揺動レバー（３１）の他端には、前記ケース（１１）に回動可能に配される第１シャフト（３２）が固定され、前記第１シャフト（３２）に第１揺動具（３３）の一端が固定され、前記第１揺動具（３３）の背面には第１上下押えブロック（３４）が回動可能に配され、前記第１上下押えブロック（３４）は、前記前送り歯（６０）にコの字形状に設けられた前歯第１上下摺動溝（６１）と、後送り歯（７０）に設けられた後歯第１上下摺動溝（７１）と、が形成するコの字形状の空間に摺動可能に挿入され、前記スピンドル（２０）の末端であって、前記スピンドル２０の中心軸からずれて偏った位置に偏心軸（２２）が設けられ、前記偏心軸（２２）に偏心押引ロッド（３５）の一端が回動可能に配され、前記偏心押引ロッド（３５）の他端に揺動ブロック（３６）の一端が固定され、前記揺動ブロック（３６）の他端には、前記ケース（１１）に回動可能に配される第２シャフト（３７）が固定され、前記第２シャフト（３７）の先端部に第２揺動具（３８）の一端が固定され、前記第２揺動具（３８）には第２上下押えブロック（３９）が回動可能に配され、前記第２上下押えブロック（３９）は、前送り歯（６０）に設けられた前歯第２上下摺動溝（６２）と、後送り歯（７０）に設けられた後歯第２上下摺動溝（７２）と、に摺動可能に設けられることを特徴とする。
【００１０】
本考案における小型横円筒式ミシン用布送り制御機構は、小型横円筒式ミシン（１）の内部に、ケース（１１）に回動可能に配されるスピンドル（２０）によって駆動される布送り制御機構（２）が設けられる小型横円筒式ミシン用布送り制御機構において、駆動される前記布送り制御機構（２）は、カム回転方式によって前記スピンドル（２０）に差動カム押引ロッド（２３）が回動可能に配され、前記差動カム押引ロッド（２３）に前差動揺動ロッド（２５）の一端が回動可能に配され、前記前差動揺動ロッド（２５）が差動スピンドル（２４）に固定され、前記差動スピンドル（２４）が前記ケース（１１）に回動可能に配された構成を有し、前記前差動揺動ロッド（２５）の他端は前差動押引ロッド（４１）の一端と回動可能に配され、前記前差動押引ロッド（４１）の他端のコの字形状のアーム部の中空部分には、揺動アーム（４２）と前記揺動アーム（４２）に設けられた２つの円孔の内の１孔に挿入された摺動アーム（４３）とが回動可能に配され、前記摺動アーム（４３）の他端の円孔に前差動揺動レバー（４４）の一端が回動可能に配され、前記前差動揺動レバー（４４）の他端には、前記ケース（１１）に回動可能に配される前差動シャフト（４５）が固定され、前記前差動シャフト（４５）の他端には、前歯揺動具（４６）の一端が固定され、前記前歯揺動具（４６）の他端には、前歯前後押えブロック（４７）が回動可能に配され、前記前歯前後押えブロック（４７）は、前送り歯（６０）に設けられた前歯前後摺動溝（６３）に摺動可能に挿入され、前記揺動アーム（４２）に設けられた２孔の内の他の１孔には、前差動引きロッド（８１）の一端が回動可能に配され、前記前差動引きロッド（８１）には、前記ケース（１１）に回動可能に配される前差動指示ロッド（８２）が固定され、前記前差動引きロッド（８１）の突起部は、常時に下方向に位置し、前差動調整ロッド（８０）に係止され、前記差動スピンドル（２４）には、円弧形状の突起部を有する後差動揺動ロッド（２６）の一端が固定され、前記後差動揺動ロッド（２６）の突起部は、プッシャ（５１）に設けられた貫通孔（５１０）を挿通し、プッシャ（５１）の他端は、前記貫通孔（５１０）から伸ばされて円孔を有し、後差動揺動レバー（５２）の一端と回動可能に配され、前記後差動揺動レバー（５２）の他端には、前記ケース（１１）に回動可能に配される後差動シャフト（５３）が固定され、前記後差動シャフト（５３）の他端には、後歯揺動具（５４）が固定され、前記後歯揺動具（５４）の側面上端部には、後歯前後押えブロック（５５）が回動可能に配され、前記後歯前後押えブロック（５５）は、後送り歯（７０）に設けられた後歯前後摺動溝（７３）に摺動可能に挿入され、前記貫通孔（５１０）に摺動揺動ロッド（９２）の一端が回動可能に配され、前記摺動揺動ロッド（９２）の他端に連動揺動ロッド（９１）の一端が回動可能に配され、前記連動揺動ロッド（９１）の他端には、前記ケース（１１）に回動可能に配される後差動調整指示ロッド（９０）が固定され、前記後差動調整指示ロッド（９０）の指示部は、前記ケース（１１）に固定される構成を有し、カム回転方式によって前記スピンドル（２０）にカム押引ロッド（２１）が回動可能に配され、前記カム押引ロッド（２１）に揺動レバー（３１）の一端が回動可能に配され、前記揺動レバー（３１）の他端には、前記ケース（１１）に回動可能に配される第１シャフト（３２）が固定され、前記第１シャフト（３２）に第１揺動具（３３）の一端が固定され、前記第１揺動具（３３）の背面には第１上下押えブロック（３４）が回動可能に配され、前記第１上下押えブロック（３４）は、前記前送り歯（６０）にコの字形状に設けられた前歯第１上下摺動溝（６１）と、後送り歯（７０）に設けられた後歯第１上下摺動溝（７１）と、が形成するコの字形状の空間に摺動可能に挿入され、前記スピンドル（２０）の末端であって、前記スピンドル２０の中心軸からずれて偏った位置に偏心軸（２２）が設けられ、前記偏心軸（２２）に偏心押引ロッド（３５）の一端が回動可能に配され、前記偏心押引ロッド（３５）の他端に揺動ブロック（３６）の一端が固定され、前記揺動ブロック（３６）の他端には、前記ケース（１１）に回動可能に配される第２シャフト（３７）が固定され、前記第２シャフト（３７）の先端部に第２揺動具（３８）の一端が固定され、前記第２揺動具（３８）には第２上下押えブロック（３９）が回動可能に配され、前記第２上下押えブロック（３９）は、前送り歯（６０）に設けられた前歯第２上下摺動溝（６２）と、後送り歯（７０）に設けられた後歯第２上下摺動溝（７２）と、に摺動可能に設けられることを特徴とする。
【考案の効果】
【００１１】
本考案の小型横円筒式ミシン用布送り制御機構によれば、次のような効果がある。
（１）本考案に係る前送り歯と後送り歯との伝動機構の新たな設計により、部材と連動機構が簡単化され、修理作業および組立作業が容易になり、小型横円筒式ミシンに適用することができる。また、部材の製造コストが減少し、修理作業および組立作業の工数を減少することができる。
【００１２】
（２）本考案に係る前送り歯の調整ねじ軸は、ユーザがミシンを操作する位置から視認可能な箇所に設けられるため、操作性が良くなる。
【図面の簡単な説明】
【００１３】
【図１】本考案の小型横円筒式ミシン用布送り制御機構がミシン内に組み込まれた状態を示す斜視図である。
【図２】本考案の小型横円筒式ミシン用布送り制御機構が組立られた状態を示す拡大斜視図である。
【図３】小型横円筒式ミシン用布送り制御機構の一部を示す斜視図である。
【図４】図３に示す部分の分解斜視図である。
【図５】（Ａ）及び（Ｂ）は、前送り歯６０と後送り歯７０の上下移動パターンを示す平面図である。
【図６】前歯前後移動ユニット及び後歯前後移動ユニットを示す斜視図である。
【図７】前歯前後移動ユニットの分解斜視図である。
【図８】（Ａ）乃至（Ｄ）は前歯前後移動ユニットの移動パターンを示す平面図である。
【図９】後歯前後移動ユニットの分解斜視図である。
【図１０】（Ａ）乃至（Ｄ）は後歯前後移動ユニットの移動パターンを示す平面図である。
【考案を実施するための最良の形態】
【００１４】
以下、本考案の実施の形態を図面に基づいて説明する。
まず、図１乃至図４、図６、図７及び図９を参照する。本考案の小型横円筒式ミシン用布送り制御機構は、小型横円筒式ミシン１において、ケース１１の内部に回動可能に配されるスピンドル２０によって駆動される布送り制御機構２を備える。図７に示すように、布送り制御機構２は、カム回転方式によって、スピンドル２０に差動カム押引ロッド２３の一端が回動可能に配され、差動カム押引ロッド２３の他端には、前差動揺動ロッド２５の一端が回動可能に配されている。前差動揺動ロッド２５は、差動スピンドル２４に固定され、差動スピンドル２４は、ケース１１に回動可能に配されている。前差動揺動ロッド２５の他端は、前差動押引ロッド４１の一端と回動可能に配され、前差動押引ロッド４１の他端のコの字形状のアーム部の中空部分には、揺動アーム４２に設けられた２つの円孔の内の１孔に挿入された摺動アーム４３とが回動可能に配されている。また、摺動アーム４３の他端の円孔に前差動揺動レバー４４の一端が回動可能に配されている。前差動揺動レバー４４の他端には、ケース１１に回動可能に配される前差動シャフト４５が固定されている。前差動シャフト４５の他端には、前歯揺動具４６の一端が固定されている。前歯揺動具４６の他端には、前歯前後押えブロック４７が回動可能に配されている。前歯前後押えブロック４７は、前送り歯６０に設けられた前歯前後摺動溝６３に摺動可能に挿入されている。また、揺動アーム４２に設けられた２つの円孔の内の他の１孔には、前差動引きロッド８１の一端が回動可能に配され、前差動引きロッド８１には、ケース１１に回動可能に配される前差動指示ロッド８２が固定されている。また、前差動引きロッド８１の突起部は、バネ（図示せず）によって常時、下方向に位置し、前差動調整ロッド８０が止め具８０１によって係止されている。ケース１１には、前差動指示ロッド８２の先端の指示部を指示針として用いる前差動スケール盤８３が設けられる。
【００１５】
また、差動スピンドル２４には、円弧形状の突起部を有する後差動揺動ロッド２６の一端が固定されている。後差動揺動ロッド２６は、後歯前後移動ユニット５０を連動させる役割を有する。図９に示すように、後歯前後移動ユニット５０は、プッシャ５１の一端に設けられた貫通孔５１０を有し、後差動揺動ロッド２６の円弧形状の突起部は、貫通孔５１０に挿通される。プッシャ５１の他端は、貫通孔５１０から伸ばされて円孔を有し、後差動揺動レバー５２の一端と回動可能に配される。後差動揺動レバー５２の他端には、ケース１１に回動可能に配される後差動シャフト５３が固定され、後差動シャフト５３の他端には、後歯揺動具５４の一端が固定されている。後歯揺動具５４の他端には、後歯前後押えブロック５５が回動可能に配され、後歯前後押えブロック５５は、後送り歯７０に設けられた後歯前後摺動溝７３に摺動可能に挿入される。また、貫通孔５１０には、摺動揺動ロッド９２の一端が回動可能に配され、摺動揺動ロッド９２の他端に連動揺動ロッド９１の一端が回動可能に配されている。連動揺動ロッド９１の他端には、ケース１１に回動可能に配される後差動調整指示ロッド９０が固定され、ケース１１には、後差動調整指示ロッド９０の先端の指示部を指示針として用いる後差動スケール盤９３が設けられている。後差動調整指示ロッド９０の指示部は、公知の締結方法によって、後差動スケール盤９３に固定され、また、ケース１１に固定される。
【００１６】
また、スピンドル２０は、カム回転方式によって、カム押引ロッド２１が回動可能に配され、スピンドル２０の末端であって、スピンドル２０の中心軸からずれて偏った位置に偏心軸２２が設けられている。カム押引ロッド２１と偏心軸２２の移動によって、前後歯上下移動ユニット３０が連動する。前後歯上下移動ユニット３０は、カム押引ロッド２１に回動可能に配される揺動レバー３１の一端を有し、揺動レバー３１の他端には、ケース１１に回動可能に配される第１シャフト３２が固定されている。第１シャフト３２に第１揺動具３３の一端が固定され、第１揺動具３３の他端には、第１上下押えブロック３４が回動可能に配されている。第１上下押えブロック３４は、前送り歯６０にコの字形状に設けられた前歯第１上下摺動溝６１と、後送り歯７０に設けられた後歯第１上下摺動溝７１と、が形成するコの字形状の空間に摺動可能に挿入されている。また、偏心軸２２と偏心押引ロッド３５の一端とが回動可能に配されている。偏心押引ロッド３５の他端の面には、揺動ブロック３６の一端が固定され、揺動ブロック３６の円孔には、ケース１１に回動可能に配される第２シャフト３７が固定されている。また、第２シャフト３７の先端部に第２揺動具３８の一端が固定され、前記第２揺動具３８の他端には、第２上下押えブロック３９が回動可能に配されている。第２上下押えブロック３９は、前送り歯６０に設けられた前歯第２上下摺動溝６２と、後送り歯７０に設けられた後歯第２上下摺動溝７２と、が形成するコの字形状の空間に摺動可能に挿入されている。
【００１７】
次に、図３、図４、図５（Ａ）及び図５（Ｂ）を参照して、前送り歯６０と後送り歯７０の上下移動パターンを説明する。スピンドル２０が図５（Ａ）に示す状態から図５（Ｂ）に示す状態に回転するときには、スピンドル２０に回動可能に配されるカム押引ロッド２１が、カム回転方式によって右上方に押し上げられ、連動して揺動レバー３１が右上方に揺動する。そして、揺動レバー３１により、ケース１１に回動可能に配される第１シャフト３２が、反時計方向に回転する。この回転によって、第１揺動具３３に連接している、第１上下押えブロック３４の回動可能に配された部分が、左及び下方向に揺動する。しかし、第１上下押えブロック３４は、前送り歯６０に設けられた前歯第１上下摺動溝６１と、後送り歯７０に設けられた後歯第１上下摺動溝７１と、に摺動可能に挿入されるため、前送り歯６０と後送り歯７０は同期して、下方向のみに移動する。また、スピンドル２０の中心軸からずれて偏った位置に偏心軸２２が設けられている。このため、スピンドル２０を図５（Ｂ）に示す状態に回転したときには、偏心軸２２に回動可能に配される偏心押引ロッド３５が、揺動ブロック３６を押えて揺動ブロック３６の一端が上方向に移動する。揺動ブロック３６の他端には、ケース１１に回動可能に配される第２シャフト３７が固定されるため、揺動ブロック３６により、第２シャフト３７が時計方向に回転する。この回転によって、第２揺動具３８に連接している、第２上下押えブロック３９の回動可能に配される部分が、右及び下方向に揺動する。しかし、第２上下押えブロック３９は、前送り歯６０に設けられた前歯第２上下摺動溝６２と、後送り歯７０に設けられた後歯第２上下摺動溝７２とが形成するコの字形状の空間に摺動可能に挿入されるため、前送り歯６０と後送り歯７０は同期して下方向のみに移動する。このように、スピンドル２０を回転し続けると、前送り歯６０と後送り歯７０は、同期して上下方向に往復移動する。
【００１８】
また、図６、図７及び図８（Ａ）乃至図８（Ｄ）を参照して、前送り歯６０の前後移動パターンを説明する。図８（Ａ）に示すように、手動で前差動調整ロッド８０を回転することにより、止め具８０１によって、前差動引きロッド８１を調整して、前差動指示ロッド８２の先端部が、前差動スケール盤８３の最も下の位置を指示するようにする。次に、スピンドル２０を図８（Ｂ）に示すように回転すると、カム回転方式でスピンドル２０に回動可能に配される差動カム押引ロッド２３が、前差動揺動ロッド２５を牽引し、前差動揺動ロッド２５が右方向に移動する。前差動揺動ロッド２５は、差動スピンドル２４に固定されている。そして、差動スピンドル２４が、ケース１１に回動可能に配されるため、前差動揺動ロッド２５の他端が左方向に移動することで、前差動押引ロッド４１は図８（Ｂ）に示すように、前差動揺動ロッド２５によって、左方向に牽引される。また、揺動アーム４２が左方向及び上方向に移動し、摺動アーム４３が上方向に押し上げられる。しかし、揺動アーム４２の他端は、前差動引きロッド８１と連接されるため、摺動アーム４３が押し上げられる力は、揺動アーム４２と前差動引きロッド８１との連接位置に影響される。すなわち、揺動アーム４２の振り幅の大きさに影響される。このとき、前差動揺動レバー４４の一端は、ケース１１に回動可能に配される前差動シャフト４５に固定されている。このため、図８（Ｂ）に示すように、摺動アーム４３が押し上げられる力により、前差動揺動レバー４４の他端が押し上げられて、右方向及び上方向に移動する。前歯揺動具４６に回動可能に配される前歯前後押えブロック４７は、より大きい移動距離で右方向及び上方向に移動する。しかし、前歯前後押えブロック４７は、前送り歯６０に設けられた前歯前後摺動溝６３に、摺動可能に挿入されるため、前歯前後押えブロック４７が右上方向に揺動しても、前送り歯６０は、図８（Ｂ）に示すように、右方向のみに移動する。スピンドル２０を回転し続けると、前送り歯６０は最大移動距離でスピンドル２０に対して、前後方向に移動することができる。
【００１９】
図８（Ｃ）に示すように、手動で前差動調整ロッド８０を回転することにより、止め具８０１によって、前差動引きロッド８１を調整して、前差動指示ロッド８２が、前差動スケール盤８３の最も上の位置を指示するようにする。前差動引きロッド８１により、揺動アーム４２が駆動されて左方向に移動する。次に、スピンドル２０を図８（Ｄ）に示す状態に回転するときには、カム回転方式でスピンドル２０に回動可能に配される差動カム押引ロッド２３により、前差動揺動ロッド２５が牽引されて、前差動揺動ロッド２５が左方向に移動する。前差動揺動ロッド２５は、差動スピンドル２４に固定され、差動スピンドル２４がケース１１に回動可能に配されるため、前差動揺動ロッド２５の他端は、右方向に移動する。前差動揺動ロッド２５が、右方向に移動することで、前差動揺動ロッド２５と回動可能に配される前差動押引ロッド４１は、右方向に牽引される。前差動押引ロッド４１と回動可能に配される揺動アーム４２が、右及び下方向に移動し、摺動アーム４３は下方向に押さえられる。しかし、揺動アーム４２の他端には、前差動引きロッド８１に設けられるため、摺動アーム４３が下方向へ引かれる力は、揺動アーム４２と前差動引きロッド８１の回動可能な位置に影響される。すなわち、揺動アーム４２の振り幅の大きさに影響される。このとき、前差動揺動レバー４４の一端は、ケース１１に回動可能に配される前差動シャフト４５に固定されるため、摺動アーム４３により前差動揺動レバー４４の他端が押えられて左及び下方向に移動する。そうすると、前歯揺動具４６に回動可能に配される前歯前後押えブロック４７が、より小さい幅で左及び下方向に揺動することができる。しかし、前歯前後押えブロック４７は、前送り歯６０に設けられた前歯前後摺動溝６３に摺動可能に挿入されるため、前歯前後押えブロック４７が左及び下方向に揺動しても、前送り歯６０は左方向だけに移動することができる。スピンドル２０を回転し続けると、前送り歯６０は最小距離でスピンドル２０に対して、前後方向に移動することができる。ユーザは、前差動調整ロッド８０を手動で回転することにより、前送り歯６０の移動距離を調整することができるため、前送り歯６０の移動距離の調整が極めて容易である。
【００２０】
また、図６、図９、図１０（Ａ）乃至図１０（Ｄ）を参照して、後送り歯７０の移動を説明する。図１０（Ａ）に示すように、後作動調整指示ロッド９０の指示部を手動で、後差動スケール盤９３の最も下の位置を指示するようにする。次に、スピンドル２０を図１０（Ｂ）に示す状態に回転するとき、カム回転方式でスピンドル２０に回動可能に配される差動カム押引ロッド２３は、前差動揺動ロッド２５を牽引し、前差動揺動ロッド２５の一端が左方向に移動する。前差動揺動ロッド２５は、差動スピンドル２４に固定され、差動スピンドル２４はケース１１に回動可能に配される。差動スピンドル２４に固定される後差動揺動ロッド２６の円弧形状の突起部は、前差動揺動ロッド２５の左方向への移動によって右方向に傾く。後差動揺動ロッド２６の円弧形状の突起部は、プッシャ５１の貫通孔５１０内に摺動可能に挿入されていることから、前記突起部の傾きによって、プッシャ５１が右方向に押し出される。このときプッシャ５１は、プッシャ５１に摺動可能に配されている後差動揺動レバー５２の端部を右方向に押し出し、図１０（Ｂ）の紙面上、後差動揺動レバー５２の端部は右方向に移動する。後差動揺動レバー５２の他端には、ケース１１に回動可能に配される後差動シャフト５３が固定されている。また、後差動シャフト５３は、後歯揺動具５４の一端に固定されるため、後差動シャフト５３の移動によって、後歯揺動具５４の他端に回動可能に配される後歯前後押えブロック５５が左及び上方向に移動する。しかし、後歯前後押えブロック５５は、後送り歯７０に設けられる後歯前後摺動溝７３に摺動可能に挿入されるため、後送り歯７０は左方向のみに移動することができる。スピンドル２０を回転し続けると、後送り歯７０は最大距離で、スピンドル２０に対して前後方向に移動することができる。
【００２１】
また、図１０（Ｃ）に示すように、後作動調整指示ロッド９０の指示部を手動で、後差動スケール盤９３の最も上の位置を指示するようにする。このとき、連動揺動レバー９１が、上方に移動し、摺動揺動ロッド９２が、プッシャ５１の貫通孔５１０を後差動揺動ロッド２６の円弧形状の突起部よりも高い位置まで押上げる。次に、スピンドル２０を図１０（Ｄ）に示す状態に回転するときには、カム回転方式でスピンドル２０に回動可能に配される差動カム押引ロッド２３が、前差動揺動ロッド２５を牽引し、前差動揺動ロッド２５の一端が左方に移動する。前差動揺動ロッド２５は、差動スピンドル２４によって固定され、差動スピンドル２４は、ケース１１に回動可能に配されるため、差動スピンドル２４及び差動スピンドル２４に固定される後差動揺動ロッド２６の他端は右方向に移動する。また、プッシャ５１の貫通孔５１０の位置が、後差動揺動ロッド２６の円弧形状の突起部の位置よりも高いため、プッシャ５１は僅かに右方向にのみ移動する。また、後差動揺動レバー５２の下端は、プッシャ５１の他端と接続されていることから、同様に僅かに右方向にのみ移動する。後差動揺動レバー５２の他端には、ケース１１に回動可能に配される後差動シャフト５３が固定される。後差動シャフト５３は、後歯揺動具５４の一端に固定されるため、後歯揺動具５４の他端に回動可能に配される後歯前後押えブロック５５を、僅かに左及び上方向に移動することができる。しかし、後歯前後押えブロック５５は、後送り歯７０に設けられる後歯前後摺動溝７３に摺動可能に挿入されるため、後送り歯７０は僅かに左方向のみに移動することができる。スピンドル２０を回転し続けると、後送り歯７０は最小距離でスピンドル２０に対して、前後方向に移動することができる。ユーザは、後差動調整指示ロッド９０を手動で回転することにより、後送り歯７０の移動距離を調整することができ、後送り歯７０の移動距離の調整が極めて容易である。
【００２２】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよい。
【産業上の利用可能性】
【００２３】
本考案は、ミシンに適用することができる。
【符号の説明】
【００２４】
１    小型横円筒式ミシン
２    布送り制御機構
１１  ケース
２０  スピンドル
２１  カム押引ロッド
２２  偏心軸
２３  差動カム押引ロッド
２４  差動スピンドル
２５  前差動揺動ロッド
２６  後差動揺動ロッド
３０  前後歯上下移動ユニット
３１  揺動レバー
３２  第１シャフト
３３  第１揺動具
３４  第１上下押えブロック
３５  偏心押引ロッド
３６  揺動ブロック
３７  第２シャフト
３８  第２揺動具
３９  第２上下押えブロック
４１  前差動押引ロッド
４２  揺動アーム
４３  摺動アーム
４４  前差動揺動レバー
４５  前差動シャフト
４６  前歯揺動具
４７  前歯前後押えブロック
５１  プッシャ
５２  後差動揺動レバー
５３  後差動シャフト
５４  後歯揺動具
５５  後歯前後押えブロック
６０  前送り歯
６１  前歯第１上下摺動溝
６２  前歯第２上下摺動溝
６３  前歯前後摺動溝
７０  後送り歯
７１  後歯第１上下摺動溝
７２  後歯第２上下摺動溝
７３  後歯前後摺動溝
８０  前差動調整ロッド
８１  前差動引きロッド
８２  前差動指示ロッド
９０  後差動調整指示ロッド
９１  連動揺動ロッド
９２  摺動揺動ロッド
５１０  貫通孔
【図１】
0003158845.tif 000003
【図２】
0003158845.tif 000004
【図３】
0003158845.tif 000005
【図４】
0003158845.tif 000006
【図５】
0003158845.tif 000007
【図６】
0003158845.tif 000008
【図７】
0003158845.tif 000009
【図８】
0003158845.tif 000010
【図９】
0003158845.tif 000011
【図１０】
0003158845.tif 000012
【手続補正書】
【提出日】平成22年1月14日(2010.1.14)
【手続補正１】
【補正対象書類名】図面
【補正対象項目名】図８
【補正方法】変更
【補正の内容】
【図８】
0003158845.tif 000013
【手続補正２】
【補正対象書類名】図面
【補正対象項目名】図１０
【補正方法】変更
【補正の内容】
【図１０】
0003158845.tif 000014
【手続補正書】
【提出日】平成22年2月10日(2010.2.10)
【手続補正１】
【補正対象書類名】実用新案登録請求の範囲
【補正対象項目名】全文
【補正方法】変更
【補正の内容】
【実用新案登録請求の範囲】
【請求項１】
小型横円筒式ミシン（１）の内部に、ケース（１１）に回動可能に配されるスピンドル（２０）によって駆動される布送り制御機構（２）が設けられる小型横円筒式ミシン用布送り制御機構において、
駆動される前記布送り制御機構（２）は、カム回転方式によって前記スピンドル（２０）に差動カム押引ロッド（２３）が回動可能に配され、前記差動カム押引ロッド（２３）に前差動揺動ロッド（２５）の一端が回動可能に配され、前記前差動揺動ロッド（２５）が差動スピンドル（２４）に固定され、前記差動スピンドル（２４）が前記ケース（１１）に回動可能に配された構成を有し、
前記前差動揺動ロッド（２５）の他端は前差動押引ロッド（４１）の一端と回動可能に配され、前記前差動押引ロッド（４１）の他端のコの字形状のアーム部の中空部分には、揺動アーム（４２）と前記揺動アーム（４２）に設けられた２つの円孔の内の１孔に挿入された摺動アーム（４３）とが回動可能に配され、前記摺動アーム（４３）の他端の円孔に前差動揺動レバー（４４）の一端が回動可能に配され、前記前差動揺動レバー（４４）の他端には、前記ケース（１１）に回動可能に配される前差動シャフト（４５）が固定され、前記前差動シャフト（４５）の他端には、前歯揺動具（４６）の一端が固定され、前記前歯揺動具（４６）の他端には、前歯前後押えブロック（４７）が回動可能に配され、前記前歯前後押えブロック（４７）は、前送り歯（６０）に設けられた前歯前後摺動溝（６３）に摺動可能に挿入され、前記揺動アーム（４２）に設けられた２孔の内の他の１孔には、前差動引きロッド（８１）の一端が回動可能に配され、前記前差動引きロッド（８１）には、前記ケース（１１）に回動可能に配される前差動指示ロッド（８２）が固定され、前記前差動引きロッド（８１）の突起部は、常時に下方向に位置し、前差動調整ロッド（８０）に係止され、
カム回転方式によって前記スピンドル（２０）にカム押引ロッド（２１）が回動可能に配され、前記カム押引ロッド（２１）に揺動レバー（３１）の一端が回動可能に配され、前記揺動レバー（３１）の他端には、前記ケース（１１）に回動可能に配される第１シャフト（３２）が固定され、前記第１シャフト（３２）に第１揺動具（３３）の一端が固定され、前記第１揺動具（３３）の背面には第１上下押えブロック（３４）が回動可能に配され、前記第１上下押えブロック（３４）は、前記前送り歯（６０）にコの字形状に設けられた前歯第１上下摺動溝（６１）と、後送り歯（７０）に設けられた後歯第１上下摺動溝（７１）と、が形成するコの字形状の空間に摺動可能に挿入され、
前記スピンドル（２０）の末端であって、前記スピンドル（２０）の中心軸からずれて偏った位置に偏心軸（２２）が設けられ、前記偏心軸（２２）に偏心押引ロッド（３５）の一端が回動可能に配され、前記偏心押引ロッド（３５）の他端に揺動ブロック（３６）の一端が固定され、前記揺動ブロック（３６）の他端には、前記ケース（１１）に回動可能に配される第２シャフト（３７）が固定され、前記第２シャフト（３７）の先端部に第２揺動具（３８）の一端が固定され、前記第２揺動具（３８）には第２上下押えブロック（３９）が回動可能に配され、前記第２上下押えブロック（３９）は、前記前送り歯（６０）に設けられた前歯第２上下摺動溝（６２）と、前記後送り歯（７０）に設けられた後歯第２上下摺動溝（７２）と、に摺動可能に設けられることを特徴とする小型横円筒式ミシン用布送り制御機構。
【請求項２】
小型横円筒式ミシン（１）の内部に、ケース（１１）に回動可能に配されるスピンドル（２０）によって駆動される布送り制御機構（２）が設けられる小型横円筒式ミシン用布送り制御機構において、
駆動される前記布送り制御機構（２）は、カム回転方式によって前記スピンドル（２０）に差動カム押引ロッド（２３）が回動可能に配され、前記差動カム押引ロッド（２３）に前差動揺動ロッド（２５）の一端が回動可能に配され、前記前差動揺動ロッド（２５）が差動スピンドル（２４）に固定され、前記差動スピンドル（２４）が前記ケース（１１）に回動可能に配された構成を有し、
前記差動スピンドル（２４）には、円弧形状の突起部を有する後差動揺動ロッド（２６）の一端が固定され、前記後差動揺動ロッド（２６）の突起部は、プッシャ（５１）に設けられた貫通孔（５１０）を挿通し、前記プッシャ（５１）の他端は、前記貫通孔（５１０）から伸ばされて円孔を有し、後差動揺動レバー（５２）の一端と回動可能に配され、前記後差動揺動レバー（５２）の他端には、前記ケース（１１）に回動可能に配される後差動シャフト（５３）が固定され、前記後差動シャフト（５３）の他端には、後歯揺動具（５４）が固定され、前記後歯揺動具（５４）の側面上端部には、後歯前後押えブロック（５５）が回動可能に配され、前記後歯前後押えブロック（５５）は、後送り歯（７０）に設けられた後歯前後摺動溝（７３）に摺動可能に挿入され、前記貫通孔（５１０）に摺動揺動ロッド（９２）の一端が回動可能に配され、前記摺動揺動ロッド（９２）の他端に連動揺動ロッド（９１）の一端が回動可能に配され、前記連動揺動ロッド（９１）の他端には、前記ケース（１１）に回動可能に配される後差動調整指示ロッド（９０）が固定され、前記後差動調整指示ロッド（９０）の指示部は、前記ケース（１１）に固定される構成を有し、
カム回転方式によって前記スピンドル（２０）にカム押引ロッド（２１）が回動可能に配され、前記カム押引ロッド（２１）に揺動レバー（３１）の一端が回動可能に配され、前記揺動レバー（３１）の他端には、前記ケース（１１）に回動可能に配される第１シャフト（３２）が固定され、前記第１シャフト（３２）に第１揺動具（３３）の一端が固定され、前記第１揺動具（３３）の背面には第１上下押えブロック（３４）が回動可能に配され、前記第１上下押えブロック（３４）は、前送り歯（６０）にコの字形状に設けられた前歯第１上下摺動溝（６１）と、前記後送り歯（７０）に設けられた後歯第１上下摺動溝（７１）と、が形成するコの字形状の空間に摺動可能に挿入され、
前記スピンドル（２０）の末端であって、前記スピンドル（２０）の中心軸からずれて偏った位置に偏心軸（２２）が設けられ、前記偏心軸（２２）に偏心押引ロッド（３５）の一端が回動可能に配され、前記偏心押引ロッド（３５）の他端に揺動ブロック（３６）の一端が固定され、前記揺動ブロック（３６）の他端には、前記ケース（１１）に回動可能に配される第２シャフト（３７）が固定され、前記第２シャフト（３７）の先端部に第２揺動具（３８）の一端が固定され、前記第２揺動具（３８）には第２上下押えブロック（３９）が回動可能に配され、前記第２上下押えブロック（３９）は、前記前送り歯（６０）に設けられた前歯第２上下摺動溝（６２）と、前記後送り歯（７０）に設けられた後歯第２上下摺動溝（７２）と、に摺動可能に設けられることを特徴とする小型横円筒式ミシン用布送り制御機構。
【請求項３】
小型横円筒式ミシン（１）の内部に、ケース（１１）に回動可能に配されるスピンドル（２０）によって駆動される布送り制御機構（２）が設けられる小型横円筒式ミシン用布送り制御機構において、
駆動される前記布送り制御機構（２）は、カム回転方式によって前記スピンドル（２０）に差動カム押引ロッド（２３）が回動可能に配され、前記差動カム押引ロッド（２３）に前差動揺動ロッド（２５）の一端が回動可能に配され、前記前差動揺動ロッド（２５）が差動スピンドル（２４）に固定され、前記差動スピンドル（２４）が前記ケース（１１）に回動可能に配された構成を有し、
前記前差動揺動ロッド（２５）の他端は前差動押引ロッド（４１）の一端と回動可能に配され、前記前差動押引ロッド（４１）の他端のコの字形状のアーム部の中空部分には、揺動アーム（４２）と前記揺動アーム（４２）に設けられた２つの円孔の内の１孔に挿入された摺動アーム（４３）とが回動可能に配され、前記摺動アーム（４３）の他端の円孔に前差動揺動レバー（４４）の一端が回動可能に配され、前記前差動揺動レバー（４４）の他端には、前記ケース（１１）に回動可能に配される前差動シャフト（４５）が固定され、前記前差動シャフト（４５）の他端には、前歯揺動具（４６）の一端が固定され、前記前歯揺動具（４６）の他端には、前歯前後押えブロック（４７）が回動可能に配され、前記前歯前後押えブロック（４７）は、前送り歯（６０）に設けられた前歯前後摺動溝（６３）に摺動可能に挿入され、前記揺動アーム（４２）に設けられた２孔の内の他の１孔には、前差動引きロッド（８１）の一端が回動可能に配され、前記前差動引きロッド（８１）には、前記ケース（１１）に回動可能に配される前差動指示ロッド（８２）が固定され、前記前差動引きロッド（８１）の突起部は、常時に下方向に位置し、前差動調整ロッド（８０）に係止され、
前記差動スピンドル（２４）には、円弧形状の突起部を有する後差動揺動ロッド（２６）の一端が固定され、前記後差動揺動ロッド（２６）の突起部は、プッシャ（５１）に設けられた貫通孔（５１０）を挿通し、前記プッシャ（５１）の他端は、前記貫通孔（５１０）から伸ばされて円孔を有し、後差動揺動レバー（５２）の一端と回動可能に配され、前記後差動揺動レバー（５２）の他端には、前記ケース（１１）に回動可能に配される後差動シャフト（５３）が固定され、前記後差動シャフト（５３）の他端には、後歯揺動具（５４）が固定され、前記後歯揺動具（５４）の側面上端部には、後歯前後押えブロック（５５）が回動可能に配され、前記後歯前後押えブロック（５５）は、後送り歯（７０）に設けられた後歯前後摺動溝（７３）に摺動可能に挿入され、前記貫通孔（５１０）に摺動揺動ロッド（９２）の一端が回動可能に配され、前記摺動揺動ロッド（９２）の他端に連動揺動ロッド（９１）の一端が回動可能に配され、前記連動揺動ロッド（９１）の他端には、前記ケース（１１）に回動可能に配される後差動調整指示ロッド（９０）が固定され、前記後差動調整指示ロッド（９０）の指示部は、前記ケース（１１）に固定される構成を有し、
カム回転方式によって前記スピンドル（２０）にカム押引ロッド（２１）が回動可能に配され、前記カム押引ロッド（２１）に揺動レバー（３１）の一端が回動可能に配され、前記揺動レバー（３１）の他端には、前記ケース（１１）に回動可能に配される第１シャフト（３２）が固定され、前記第１シャフト（３２）に第１揺動具（３３）の一端が固定され、前記第１揺動具（３３）の背面には第１上下押えブロック（３４）が回動可能に配され、前記第１上下押えブロック（３４）は、前記前送り歯（６０）にコの字形状に設けられた前歯第１上下摺動溝（６１）と、前記後送り歯（７０）に設けられた後歯第１上下摺動溝（７１）と、が形成するコの字形状の空間に摺動可能に挿入され、
前記スピンドル（２０）の末端であって、前記スピンドル（２０）の中心軸からずれて偏った位置に偏心軸（２２）が設けられ、前記偏心軸（２２）に偏心押引ロッド（３５）の一端が回動可能に配され、前記偏心押引ロッド（３５）の他端に揺動ブロック（３６）の一端が固定され、前記揺動ブロック（３６）の他端には、前記ケース（１１）に回動可能に配される第２シャフト（３７）が固定され、前記第２シャフト（３７）の先端部に第２揺動具（３８）の一端が固定され、前記第２揺動具（３８）には第２上下押えブロック（３９）が回動可能に配され、前記第２上下押えブロック（３９）は、前記前送り歯（６０）に設けられた前歯第２上下摺動溝（６２）と、前記後送り歯（７０）に設けられた後歯第２上下摺動溝（７２）と、に摺動可能に設けられることを特徴とする小型横円筒式ミシン用布送り制御機構。